(57)【要約】【課題】より実用性に優れた横ヒダ型衛生マスクを提供する。【解決手段】覆い部１０が、複数の横ヒダ２０，２２，２４，２６，２８の側壁同士を互いに接合してそれらの横方向における両側の部分が展開することを阻止する１対の接合部６０を有し、それら１対の接合部６０の各々が、覆い部１０の上下方向における中間より上側に位置して線状に延びる上側接合線部６２と、下側に位置して線状に延びる下側接合線部６４とを含み、上側接合線部６２の下端を、下側接合線部６４の上端から横方向における中央側に離れた位置に位置させ、下側接合線部６４を、上端から下端に向かうにつれて横方向における中央側へ向かう向きに傾斜する形状とする。【選択図】図１
2018009254.tif 000002
【特許請求の範囲】
【請求項１】
口と鼻とを覆う覆い部と、その覆い部の横方向における両側から延び出して両耳に掛けられる２つの耳掛部とを含み、前記覆い部に横方向に延びる複数の横ヒダが形成された横ヒダ型衛生マスクであって、
前記覆い部が、
横方向における両側の各々において上下方向に渡って設けられ、前記複数の横ヒダの側壁同士を互いに接合して各横ヒダの横方向における両側の部分が展開することを阻止する１対の接合部を有し、
それら１対の接合部の各々が、
前記覆い部の上下方向における中間より上側に位置して線状に延びる上側接合線部と、下側に位置して線状に延びる下側接合線部とを含み、
前記上側接合線部の下端が、前記下側接合線部の上端から横方向における中央側に離れた位置に位置させられるとともに、前記下側接合線部が、上端から下端に向かうにつれて横方向における中央側へ向かう向きに傾斜することを特徴とする横ヒダ型衛生マスク。
【請求項２】
前記１対の接合線部の各々の前記上側接合線部が、上下方向における中央が横方向における外側に向かって湾曲する形状とされた請求項１に記載の横ヒダ型衛生マスク。
【請求項３】
前記１対の接合線部の各々の前記下側接合線部が、前記覆い部の側端から前記覆い部の下端まで延びている請求項１または請求項２に記載の横ヒダ型衛生マスク。
【請求項４】
前記１対の接合線部の各々の前記下側接合線部が、真直ぐに延びている請求項１ないし請求項３のいずれか１つに記載の横ヒダ型衛生マスク。
【請求項５】
前記１対の接合部の各々の前記下側接合線部の上端と下端とを結ぶ直線の、前記覆い部の側端に対してなす角度が、１５度以上３５度未満とされた請求項１ないし請求項４のいずれか１つに記載の横ヒダ型衛生マスク。
【請求項６】
前記上側接合線部の下端と前記下側接合線部の上端との間の横方向における間隔が、前記覆い部の上下方向における寸法の５％以上とされた請求項１ないし請求項５のいずれか１つに記載の横ヒダ型衛生マスク。
【請求項７】
前記１対の接合部の各々が、
前記上側接合線部の下端が、前記下側接合線部の上端より下方に位置する、あるいは、前記下側接合線部の上端と上下方向において同じ高さに位置する請求項１ないし請求項６のいずれか１つに記載の横ヒダ型衛生マスク。
【請求項８】
前記複数の横ヒダが、前記覆い部の表側から見てその覆い部の上下方向の中間に位置する１つの箱ヒダと、その箱ヒダの上方に位置する１つ以上の横ヒダからなる上方車ヒダと、前記箱ヒダの下方に位置する１つ以上の横ヒダからなる下方車ヒダとであり、前記１対の接合部の各々の前記上側接合線部の下端および前記下側接合線部の上端が、前記箱ヒダの中央に位置する請求項１ないし請求項７のいずれかに記載の横ヒダ型衛生マスク。
【請求項９】
前記１対の接合部の各々の前記上側接合線部および前記下側接合線部が、それぞれが熱溶着された複数の溶着点が並んでなる請求項１ないし請求項８のいずれか１つに記載の横ヒダ型衛生マスク。
【発明の詳細な説明】
【技術分野】
【０００１】
本発明は、花粉，ほこり等の吸引防止、風邪の感染防止等の目的で使用される横ヒダ型の衛生マスクに関するものである。
【背景技術】
【０００２】
衛生マスクには、例えば、下記の特許文献１に記載されているように、口と鼻とを覆う覆い部と、両耳に掛けられる２つの耳掛部とを含み、覆い部に横方向に延びる複数の横ヒダが形成されたものがある。特許文献１に記載の衛生マスクにおいて横ヒダの側壁同士は、覆い部の横方向における両側の各々に設けられた接合部において接合され、各横ヒダの横方向における両側の部分が展開することが阻止されている。そして、各接合部は、３つの部分に分けられて２箇所に切れ目が設けられることにより、それら２箇所の切れ目に対応する２箇所が、それら以外の部分に比較して横方向の中央側へ凸に屈曲し易くされている。そのため、マスクの装着状態では、覆い部の側端が２箇所において屈曲することにより、覆い部の両側の側端が顔の肌に密着し易くなっている。
【特許文献１】特開２０１５−１００５７０号公報
【発明の開示】
【発明が解決しようとする課題】
【０００３】
横ヒダ型衛生マスクは、覆い部を上下方向に伸ばし、覆い部によって顎の下まで覆って装着されるのが望ましい。しかしながら、覆い部を顎の下まで覆わずに装着されるような場合もあり、そのような場合には、覆い部と顔の肌との間に隙間が生じる虞がある。そのような問題に対処することにより、横ヒダ型衛生マスクの実用性が向上すると考えられる。本発明は、そのような実情に鑑みてなされたものであり、より実用性に優れた横ヒダ型衛生マスクの提供を課題とする。
【課題を解決するための手段】
【０００４】
上記の課題を解決するために、本発明に係る横ヒダ型衛生マスクは、
口と鼻とを覆う覆い部と、その覆い部の横方向における両側から延び出して両耳に掛けられる２つの耳掛部とを含み、前記覆い部に横方向に延びる複数の横ヒダが形成された横ヒダ型衛生マスクであって、
前記覆い部が、
横方向における両側の各々において上下方向に渡って設けられ、前記複数の横ヒダの側壁同士を互いに接合して各横ヒダの横方向における両側の部分が展開することを阻止する１対の接合部を有し、
それら１対の接合部の各々が、
前記覆い部の上下方向における中間より上側に位置して線状に延びる上側接合線部と、下側に位置して線状に延びる下側接合線部とを含み、
前記上側接合線部の下端が、前記下側接合線部の上端から横方向における中央側に離れた位置に位置させられるとともに、前記下側接合線部が、上端から下端に向かうにつれて横方向における中央側へ向かう向きに傾斜することを特徴とする。
【発明の効果】
【０００５】
覆い部の横方向における両側の各接合部が、上側接合線部と下側接合線部との２つに分けられ、上側接合線部の下端と下側接合線部の上端とが横方向に離れた状態とされることで、上側接合線部と下側接合線部との間の部分は、曲がり易くなっている。さらに、下側接合線部が、上端から下端に向かうにつれて覆い部１０の横方向の中央側へ向かう向きに傾斜すること、および、覆い部１０の側端から覆い部１０の下端まで延びていることによって、覆い部によって顎の下まで覆って装着した場合に、顔の肌への密着性を確保するだけでなく、覆い部によって顎の下まで覆わずに覆い部の下端が口の下にあるように装着した場合（いわゆる、半掛けの状態）においても、頬の形状に沿っているため、顔の肌への密着性の低下を抑えることが可能であると考えられる。つまり、本発明の横ヒダ型衛生マスクは、装着の仕方が不十分な場合であったとしても、装着効果の低下を抑えることができると考えらえる。
【図面の簡単な説明】
【０００６】
【図１】本発明の一実施形態である衛生マスクを示す正面図である。
【図２】上記衛生マスクを中央において切断した状態を示す斜視図である。
【図３】上記衛生マスクの装着状態における覆い部の側端の屈曲を説明する図である。
【図４】上記衛生マスクの別の装着状態における覆い部の側端の屈曲を説明する図である。
【図５】本発明の別の実施形態の衛生マスクを概略的に示す正面図である。
【発明を実施するための形態】
【０００７】
以下、本発明のいくつかの実施形態を、図を参照しつつ詳しく説明する。なお、本発明は、下記実施形態の他、当業者の知識に基づいて種々の変更を施した態様で実施することができる。
【０００８】
図１に、本発明の一実施形態としての横ヒダ型衛生マスク（以下、マスクと略称する）を示す。本マスクは、装着者の口，鼻およびそれらの周辺を覆う覆い部１０と、その覆い部１０の両側端部からそれぞれ延び出して両耳に掛けられる２つの耳掛部１２とを含む。覆い部１０は、通気性を有するシートが複数枚、本実施形態のマスクでは、図２に示すように３枚のシート１４，１６，１８が重ね合わされた通気性を有する素材から成る。シート１４，１６，１８は、本実施形態のマスクでは、熱可塑性合成繊維から成る不織布である。
【０００９】
図１に示すように、覆い部１０には、横方向に延びる複数の横ヒダ、本実施形態のマスクでは、５つの横ヒダ２０，２２，２４，２６，２８が形成されている。それら５つの横ヒダ２０，２２，２４，２６，２８は、図２に示すように、側壁を３つずつ含んでおり、正面側の側壁と真中の側壁とで山折り部３０が形成されるとともに、背面側の側壁と真中の側壁とで谷折り部３２が形成されている。ただし、上方側の２つの横ヒダ２０，２２の山折り部３０ａは、その頂部が谷折り部３２aの底部より上に位置し、上向きのものであるが、下方側の３つの横ヒダ２４，２６，２８の山折り部３０ｂは、その頂部が谷折り部３２ｂの底部より下に位置し、下向きのものとなっている。つまり、上方側の２つの横ヒダ２０，２２は、覆い部１０の表側から見て上向きに凸の状態であり、下方側の３つの横ヒダ２４，２６，２８は、下向きに凸の状態となっている。
【００１０】
５つの横ヒダが、上記のように構成されていることで、覆い部１０は、１つの箱ヒダ３６と３つの車ヒダを含むものとなっている。箱ヒダ３６は、上から２つ目の上向きに凸な横ヒダ２２と、上から３つ目の下向きに凸な横ヒダ２４とを含んで構成される。また、その箱ヒダ３６の上方側に位置する横ヒダ２０、および、箱ヒダ３６の下方側に位置する２つの横ヒダ２６，２８は、車ヒダである。以下の説明において、横ヒダ２０を、上方車ヒダ２０と称し、横ヒダ２６，２８を、下方車ヒダ２６，２８と称する場合がある。
【００１１】
覆い部１０は前述のように３枚のシート１４，１６，１８から成っているが、一番内側、すなわち顔の肌に接するシート１４の上下方向の寸法が他のシート１６，１８より大きくされ、それらシート１６，１８より上下に突出した上端部および下端部がそれぞれ外側へ折り返されて、シート１６，１８の上端部および下端部を覆う折返し部４０，４２とされている。図１に示すように、下側の折返し部４２は、横方向に延びる接合部４４において、シート１４の本体部（外側へ折り返されない部分）およびシート１６，１８に加圧，加熱されて溶着され、接合されている。接合部４４は、点状の溶着部である溶着点が複数、等間隔にかつ一直線状に並んでなる。
【００１２】
上側の折返し部４０は互いに平行な２本の接合部５０，５２において溶着されている。これら接合部５０，５２は接合部４０と同様に、複数の溶着点が等間隔にかつ一直線状に並んで成り、折返し部４０とシート１８との間に覆い部１０の横方向に延びる筒状部５４（図２参照）が形成され、その中にバー５６が配設されている。バー５６は、幅が狭く、薄い長手形状の板状を成し、本実施形態のマスクでは、添加物が添加されたポリエチレンにより形成され、塑性変形可能な公知の材料から成る塑性変形可能部材であり、筒状部５４に挿入されて覆い部１０の横方向に延びる状態とされている。
【００１３】
図１に示すように、覆い部１０の両側端部の上角部と下角部とに、それぞれ耳掛部１２の両端部が接合されている。各耳掛部１２は熱可塑性合成樹脂材料により伸縮性の良い紐状に形成され、溶着により覆い部１０に接合されている。
【００１４】
覆い部１０は、横方向における両側において上下方向に渡って、横ヒダ２０，２２，２４，２６，２８の側壁同士が加圧，加熱により溶着されている。つまり、覆い部１０は、各横ヒダ２０，２２，２４，２６，２８の横方向における両側の部分が展開することを阻止する１対の接合部６０を有している。それら１対の接合部６０の各々は、覆い部１０の上下方向における中間において２つに分けられており、その中間より上側に位置して線状に延びる上側接合線部６２と、中間より下側に位置して線状に延びる下側接合線部６４とからなる。なお、それら上側接合線部６２および下側接合線部６４は、接合部４０，５０，５２と同様に、複数の溶着点が等間隔に、線状に並んでなる。
【００１５】
上側接合線部６２は、上方車ヒダ２０と箱ヒダ３６を形成する上向きに凸な横ヒダ２２との側壁同士を接合するものであり、上側の折り返し部４０から箱ヒダ３６にわたって延びている。つまり、上側接合線部６２の下端の溶着点７０が、箱ヒダ３６の上下方向におけるほぼ中央に位置している。また、上側接合線部６２は、横方向における外側に凸となるように湾曲する形状をなしている。詳しく言えば、上側接合線部６２は、横方向における外側に凸となる円弧状をなしているのである。
【００１６】
下側接合線部６４は、箱ヒダ３６を形成する下向きに凸な横ヒダ２４と下方車ヒダ２６，２８との側壁同士を接合するものであり、箱ヒダ３６から下側の折り返し部４２にわたって延びている。詳しく言えば、覆い部１０の側端から覆い部１０の下端まで、具体的には、箱ヒダ３６の側端から下側の折り返し部４２の下端まで、真直ぐに延びている。また、下側接合線部６４は、上端から下端に向かうにつれて、覆い部１０の横方向の中央側へ向かう向きに傾斜している。
【００１７】
そして、下側接合線部６４の上端の溶着点７２は、箱ヒダ３６の上下方向におけるほぼ中央に位置している。ただし、下側接合線部６４の上端の溶着点７２と、先に述べた上側接合線部６２の下端の溶着点７０とは、横方向に離れた位置に位置させられている。詳しく言えば、上側接合線部６２の下端の溶着点７０は、下側接合線部６４の上端の溶着点７２より横方向における中央側に位置している。また、それら上側接合線部６２の下端と、下側接合線部６４の上端とは、同じ高さとされている。厳密にいえば、上側接合線部６２の下端と、下側接合線部６４の上端とは、上下方向に僅かに離れているが、上側接合線部６２の下端が下側接合線部６４の上端の溶着点７２から上方に溶着点１つ分以上は離れていない位置関係にある。本明細書においては、その程度離れている場合については、『同じ高さ』にあることに含まれる。
【００１８】
図３に示すように、本実施形態のマスクを人が装着するとき、各耳掛部１２が耳に掛けられ、覆い部１０の左右方向の中央部は上下に延ばされて鼻および口を覆うようにされる。そして、バー５６を鼻の表面に沿って屈曲させれば、覆い部１０の上端部が下方にずれることが防止される。覆い部１０の両側の側端は耳掛部１２により引っ張られ、装着者の頬を覆う。また、本実施形態のような横ヒダ型衛生マスクは、図３に示すように、覆い部１０の下端が顎の下まで延ばされて、顎をも覆うようにして装着されるのが、一般的である。しかし、図４に示すように、覆い部１０の下端が口の下までで止められ、顎を覆わずに装着される場合（いわゆる、半掛けの状態）もある。そして、そのような場合に、従来のように１対の接合部の各々が上下方向に延びる１本の直線状のものとされたマスクが、顎を覆わずに装着されると、覆い部１０と顔の肌との間に隙間が生じる虞がある。
【００１９】
本実施形態のマスクは、覆い部１０の横方向における両側の上側接合線部６２の下端と下側接合線部６４の上端とが横方向に間隔が設けられており、それら以外の部分に比較して曲がり易くなっている。また、１対の接合部６０の各々の上側接合線部６２は、前述したように、上下方向における中央が横方向における外側に向かって湾曲した形状とされているため、頬に沿い易くなっている。さらに、１対の接合部６０の各々の下側接合線部６４が、上端から下端に向かうにつれて覆い部１０の横方向の中央側へ向かう向きに傾斜すること、および、覆い部１０の側端から覆い部１０の下端まで延びていることによって、図３に示したような一般的な装着方法の場合に、顔の肌への密着性を確保するだけでなく、図４に示したような装着方法の場合においても、下側接合線部６４が頬の形状に沿うため、顔の肌への密着性の低下を抑えることが可能であると考えられる。
【００２０】
なお、本実施形態のマスクは、上側接合線部６２の下端と下側接合線部６４の上端とが、箱ヒダ３６の中央に位置している。そのため、上側接合線部６２が、上向きに凸な横ヒダ２０，２２の側壁同士を接合し、下側接合線部６４が、下向きに凸な横ヒダ２４，２６，２８の側壁同士を接合するものとなっているため、覆い部１０を上下に伸ばしてマスクが装着される場合において、覆い部１０の側端の曲がる位置が適切な位置となる。
【００２１】
ちなみに、本実施形態のマスクにおいて、下側接合線部６４の覆い部１０の側端（上下方向に延びる直線）に対してなす角度θ１は約２５°とされている。その角度θ１が小さすぎると、１対の接合部の各々が上下方向に延びる１本の直線状のものとされた従来のマスクと同様に覆い部１０と顔の肌との間に隙間が生じる虞があり、その角度θ１が大きすぎても、頬の形状に合わず、覆い部１０と顔の肌との間に隙間が生じる虞がある。したがって、下側接合線部６４の覆い部１０の側端に対してなす角度θ１は、１５°以上３５°未満であることが望ましく、２０°以上３０°未満であることがさらに望ましい。
【００２２】
また、本実施形態のマスクにおいて、上側接合線部６２の溶着点７０と下側接合線部６４の溶着点７２との横方向における間隔ｔは、覆い部１０の上下方向の寸法の約７％とされている。その間隔ｔが小さすぎると、上側接合線部６２と下側接合線部６４との間の変形が許容されにくく、その間隔ｔが大きすぎると、上側接合線部６２と下側接合線部６４との間の隙間が大きくなって、その部分が顔の肌から浮いてしまう虞がある。したがって、その上側接合線部６２の下端と下側接合線部６４の上端との横方向における間隔ｔは、覆い部１０の上下方向の寸法の５％以上１０％未満であることが望ましい。
【００２３】
１対の接合部の上側接合線部および下側接合線部が、図５に概略的に示すマスクのような形状とされてもよい。なお、図１〜図４に示す実施形態のマスクと同じ作用を為す構成要素については同じ符号を付して対応関係を示し、説明を省略する。
【００２４】
図５に示すマスクにおいて、１対の接合部１００の各々の上側接合線部１０２は、上記実施形態のマスクの上側接合線部６２と同様に、横方向における外側に向かって膨らんでいる。ただし、その上側接合線部１０２の上部の形状は、ハートの形に類似した形状とされており、美観性，ファッション性を有するものとなっている。また、下側接合線部１０４は、上記実施形態のマスクの下側接合線部６４と同様に、上端から下端に向かうにつれて覆い部１０の横方向の中央側へ向かう向きに傾斜している。ただし、その下側接合線部１０４は、上記実施形態のマスクの下側接合線部６４のように真直ぐには延びておらず、波型の形状となっている。なお、その下側接合線部１０４は、上端と下端とを結ぶ直線の覆い部１０の側端に対してなす角度θ２が、θ１と同じ約２５°となっている。
【００２５】
上側接合線部１０２の下端は、下側接合線部１０４の上端より横方向における中央側に位置しており、それら上側接合線部１０２の下端と下側接合線部１０４の上端との横方向の間隔は、上記実施形態のマスクと同様に、覆い部１０の上下方向の寸法の約７％とされている。ただし、上側接合線部１０２の下端が、下側接合線部１０４の上端よりも下方に位置している。具体的には、上側接合線１０２の下側から２つの溶着点と、下側接合線部１０４の上側から２つの溶着点とが、横方向に離れた状態で、上下方向において重なりあっている。この上側接合線部１０２と下側接合線部１０４との上下方向において重なった寸法ｈが、大きくなりすぎると、上側接合線部１０２と下側接合線部１０４との間の変形が許容されにくくなるため、この寸法ｈは、覆い部１０の上下方向の寸法の８％以下であることが望ましい。
【００２６】
上記のような形状とされた１対の接合部１００を有する図５に示すマスクも、上記実施形態のマスクと同様に、覆い部１０によって顎の下まで覆って装着した場合に、顔の肌への密着性を確保するだけでなく、覆い部１０によって顎の下まで覆わずに覆い部の下端が口の下にあるように装着した場合においても、顔の肌への密着性の低下を抑えることが可能であると考えられる。
【符号の説明】
【００２７】
１０：覆い部    １２：耳掛部    ２０：横ヒダ〔上方車ヒダ〕    ２２：横ヒダ    ２４：横ヒダ    ２６：横ヒダ〔下方車ヒダ〕    ２８：横ヒダ〔下方車ヒダ〕    ３６：箱ヒダ    ４０：折り返し部（上側）    ４２：折り返し部（下側）    ６０：１対の接合部    ６２：上側接合線部    ６４：下側接合線部    ７０：溶着点（上側接合線部の下端）    ７２：溶着点（下側接合線部の上端）    １００：１対の接合部    １０２：上側接合線部    １０４：下側接合線部
【図１】
2018009254.tif 000003
【図２】
2018009254.tif 000004
【図３】
2018009254.tif 000005
【図４】
2018009254.tif 000006
【図５】
2018009254.tif 000007